(57)【要約】【課題】連続印刷中の紙詰まり処置を選択できる画像形成装置またはプリンタードライバーを提供する。【解決手段】紙詰まり処置パターンＮｏ．「１」は、ステップＳ１０８で紙詰まりの処置パターン１表示画面が表示され、紙詰まりのインデックス用紙に代えて補充された同じ様式のインデックス用紙がセットされた後に「ＯＫ」ボタン９１ａが押下されるとステップＳ１０５に戻り先に読み取った原稿の画像が補充された同じ様式のインデックス用紙に印刷される。紙詰まり処置パターンＮｏ．「２」は、ステップＳ１０９で紙詰まりの処置パターン２表示画面が表示され、「ＯＫ」ボタン９２ａが押下されるとステップＳ１１１に進み次に読み取った原稿の画像が次のインデックス用紙に印刷される。紙詰まり処置パターンＮｏ．「３」は、ステップＳ１１０で紙詰まり処置パターン３表示画面が表示され、「ＯＫ」ボタン９２ａが押下されると印刷を中止する。【選択図】図５
2015091641.tif 000002
【特許請求の範囲】
【請求項１】
異なる様式の印刷用紙に連続印刷を行うことができる印刷実行手段と、
紙詰まりを検出する紙詰まり検出手段と、
前記印刷実行手段の紙詰まり処置パターンが選択できる紙詰まり処置パターン選択手段と
を備え、
前記紙詰まり検出手段により紙詰まりが検出されたときに、前記印刷実行手段が前記紙詰まり処置パターン選択手段により選択された前記紙詰まり処置パターンの処理を実行することを特徴とする画像形成装置。
【請求項２】
前記様式は、インデックス用紙のインデックスラベル位置であることを特徴とする請求項１に記載の画像形成装置。
【請求項３】
前記インデックス用紙の情報を設定できるインデックス用紙情報設定手段と、
前記インデックス用紙のインデックスラベルの情報を設定できるインデックスラベル情報設定手段と、
を備えることを特徴とする請求項２に記載の画像形成装置。
【請求項４】
前記紙詰まり処置パターン選択手段により選択された前記紙詰まり処置パターンの画面を表示する紙詰まり処置パターン画面表示手段を備えることを特徴とする請求項１から請求項３のいずれか１項に記載の画像形成装置。
【請求項５】
前記紙詰まり処置パターンは、紙詰まりした印刷用紙に代えて補充された同じ様式の印刷用紙の印刷から再開する第１の紙詰まり処置パターン、紙詰まりした印刷用紙の次の印刷用紙の印刷から再開する第２の紙詰まり処置パターン、または印刷を中止する第３の紙詰まり処置パターンであることを特徴とする請求項１から請求項４のいずれか１項に記載の画像形成装置。
【請求項６】
前記紙詰まり処置パターン画面表示手段は、何番目の印刷用紙に紙詰まりが発生したかを表示することを特徴とする請求項１から請求項５のいずれか１項に記載の画像形成装置。
【請求項７】
異なる様式の印刷用紙に連続印刷を行うことができる印刷実行手段と、紙詰まりを検出する紙詰まり検出手段とを備えた画像形成装置に印刷を指示する、周辺機器に搭載されるプリンタードライバーであって、
前記周辺機器のコンピューターを、
前記印刷実行手段の紙詰まり処置パターンが選択できる紙詰まり処置パターン選択手段、および
前記紙詰まり検出手段により紙詰まりが検出されたときに、前記印刷実行手段を前記紙詰まり処置パターン選択手段により選択された前記紙詰まり処置パターンの処理を実行させる印刷実行指示手段、
として機能させることを特徴とするプリンタードライバー。
【請求項８】
前記様式は、インデックス用紙のインデックスラベル位置であることを特徴とする請求項７に記載のプリンタードライバー。
【請求項９】
前記周辺機器のコンピューターを、
前記インデックス用紙の情報を設定できるインデックス用紙情報設定手段、および
前記インデックス用紙のインデックスラベルの情報を設定できるインデックスラベル情報設定手段、
として機能させることを特徴とする請求項８に記載のプリンタードライバー。
【請求項１０】
前記周辺機器のコンピューターを
前記紙詰まり処置パターン選択手段により選択された前記紙詰まり処置パターンの画面を表示する紙詰まり処置パターン画面表示手段、
として機能させることを特徴とする請求項７から請求項９のいずれか１項に記載のプリンタードライバー。
【請求項１１】
前記紙詰まり処置パターンは、紙詰まりした印刷用紙に代えて補充された同じ様式の印刷用紙の印刷から再開する第１の紙詰まり処置パターン、紙詰まりした印刷用紙の次の印刷用紙の印刷から再開する第２の紙詰まり処置パターン、または印刷を中止する第３の紙詰まり処置パターンであることを特徴とする請求項７から請求項１０のいずれか１項に記載のプリンタードライバー。
【請求項１２】
前記紙詰まり処置パターン画面表示手段は、何番目の印刷用紙に紙詰まりが発生したかを表示することを特徴とする請求項７から請求項１１のいずれか１項に記載のプリンタードライバー。
【発明の詳細な説明】
【技術分野】
【０００１】
本発明は、インデックスラベルが設けられている用紙（以下、「インデックス用紙」という）の印刷を行う画像形成装置、および前記画像形成装置に印刷を指示するプリンタードライバーに関する。
【背景技術】
【０００２】
最近の技術によれば、プリンター、多機能プリンター、多機能周辺装置、又は複合機（Ｍｕｌｔｉｆｕｎｃｔｉｏｎ  Ｐｅｒｉｐｈｅｒａｌ）である画像形成装置は、インデックス用紙に印刷ができる機能を備えている。画像形成装置は、一般的に、紙詰まり用紙が取り除かれると、印刷できなかった画像を次に給紙される用紙に自動的に印刷するようにしている（オートジャムリカバリー機能）。このため、異なる位置にインデックスラベルが設けられている複数のインデックス用紙を連続印刷しているときに紙詰まりが発生し、紙詰まりしたインデックス用紙が取り除かれると、紙詰まりしたインデックス用紙に印刷される画像が次に給紙されるインデックス用紙に自動的に印刷される。しかし、次に給紙されるインデックス用紙に設けられているインデックスラベルの位置は、紙詰まりしたインデックス用紙のインデックスラベルの位置と異なる。またインデックスラベルにも画像を印刷するときには、インデックス用紙の定型サイズ部分にのみ画像が印刷され、インデックスラベルには画像が印刷されないので、以降の印刷が無駄になる。
この対策として、例えば、特許文献１の画像形成装置では、搬送不良が発生した時に画像形成装置内にタブ紙（インデックス用紙）等の特定用紙が存在していた場合には、その後のジャムリカバリー処理において特定用紙を給紙すべきタイミングで特定用紙と異なる代替用紙を給紙するようにしている。また、この代替用紙に搬送不良の発生によって適正な用紙と異なる用紙を搬送した旨のメッセージ画像を記録して排出することで、搬送不良が発生した場合でもユーザーは修復作業の必要性を認識することができる。このように、特許文献１の画像形成装置では、インデックス用紙が欠けることによる給紙のずれや無駄な印刷を防止することができる。
【先行技術文献】
【特許文献】
【０００３】
【特許文献１】特開２００５−２８９５６７号公報
【発明の概要】
【発明が解決しようとする課題】
【０００４】
しかし、ユーザーは、搬送不良の発生によって適正な用紙と異なる用紙を搬送した旨のメッセージ画像を記録した代替用紙を確認することで、修復作業の必要性を認識することができるが、紙詰まりをしたインデックス用紙の印刷を行うためには、再びインデックス用紙やインデックスラベルなどの情報を設定してからでないと印刷できないので、手間がかかるという問題があった。
【０００５】
本発明はこのような状況に鑑みてなされたものであり、上記課題を解決できる画像形成装置およびプリンタードライバーを提供することを目的とする。
【課題を解決するための手段】
【０００６】
本発明の画像形成装置は、異なる様式の印刷用紙に連続印刷を行うことができる印刷実行手段と、紙詰まりを検出する紙詰まり検出手段と、前記印刷実行手段の紙詰まり処置パターンが選択できる紙詰まり処置パターン選択手段とを備え、前記紙詰まり検出手段により紙詰まりが検出されたときに、前記印刷実行手段が前記紙詰まり処置パターン選択手段により選択された前記紙詰まり処置パターンの処理を実行することを特徴としている。
また、本発明の画像形成装置の前記様式は、インデックス用紙のインデックスラベル位置であることを特徴としている。
また、本発明の画像形成装置の前記インデックス用紙の情報を設定できるインデックス用紙情報設定手段と、前記インデックス用紙のインデックスラベルの情報を設定できるインデックスラベル情報設定手段と、を備えることを特徴としている。
また、本発明の画像形成装置は、前記紙詰まり処置パターン選択手段により選択された前記紙詰まり処置パターンの画面を表示する紙詰まり処置パターン画面表示手段を備えることを特徴としている。
また、本発明の画像形成装置の前記紙詰まり処置パターンは、紙詰まりした印刷用紙に代えて補充された同じ様式の印刷用紙の印刷から再開する第１の紙詰まり処置パターン、紙詰まりした印刷用紙の次の印刷用紙の印刷から再開する第２の紙詰まり処置パターン、または印刷を中止する第３の紙詰まり処置パターンであることを特徴としている。
また、本発明の画像形成装置の前記紙詰まり処置パターン画面表示手段は、何番目の印刷用紙に紙詰まりが発生したかを表示することを特徴としている。
本発明のプリンタードライバーは、異なる様式の印刷用紙に連続印刷を行うことができる印刷実行手段と、紙詰まりを検出する紙詰まり検出手段とを備えた画像形成装置に印刷を指示する、周辺機器に搭載されるプリンタードライバーであって、前記周辺機器のコンピューターを、前記印刷実行手段の紙詰まり処置パターンが選択できる紙詰まり処置パターン選択手段、および前記紙詰まり検出手段により紙詰まりが検出されたときに、前記印刷実行手段を前記紙詰まり処置パターン選択手段により選択された前記紙詰まり処置パターンの処理を実行させる印刷実行指示手段、として機能させることを特徴としている。
また、本発明のプリンタードライバーの前記様式は、インデックス用紙のインデックスラベル位置であることを特徴としている。
また、本発明のプリンタードライバーは、前記周辺機器のコンピューターを、前記インデックス用紙の情報を設定できるインデックス用紙情報設定手段、および前記インデックス用紙のインデックスラベルの情報を設定できるインデックスラベル情報設定手段、として機能させることを特徴としている。
また、本発明のプリンタードライバーは、前記周辺機器のコンピューターを前記紙詰まり処置パターン選択手段により選択された前記紙詰まり処置パターンの画面を表示する紙詰まり処置パターン画面表示手段、として機能させることを特徴としている。
また、本発明のプリンタードライバーの前記紙詰まり処置パターンは、紙詰まりした印刷用紙に代えて補充された同じ様式の印刷用紙の印刷から再開する第１の紙詰まり処置パターン、紙詰まりした印刷用紙の次の印刷用紙の印刷から再開する第２の紙詰まり処置パターン、または印刷を中止する第３の紙詰まり処置パターンであることを特徴としている。
また、本発明のプリンタードライバーの前記紙詰まり処置パターン画面表示手段は、何番目の印刷用紙に紙詰まりが発生したかを表示することを特徴としている。
【発明の効果】
【０００７】
本発明は、異なる位置にインデックスラベルが設けられている複数のインデックス用紙の連続印刷において紙詰まりが発生したときに、給紙のずれによる無駄な印刷を防止し、またユーザーが紙詰まりの処置を選択できるようにすることで使い勝手のよい画像形成装置およびプリンタードライバーを提供する。
【図面の簡単な説明】
【０００８】
【図１】本発明の実施形態１に係る画像形成装置の外観斜視図である。
【図２】本発明の実施形態１に係る画像形成装置の内部構成を示す断面概略図である。
【図３】本発明の実施形態１に係る画像形成装置の概略機能構成を示すブロック図である。
【図４】本発明の実施形態１に係る紙詰まり処置パターン選択画面と各々の紙詰まり処置パターンに対応する表示画面の例を示す図である。
【図５】本発明の実施形態１に係るインデックス用紙の連続印刷を行う印刷実行処理を示すフローチャートである。
【図６】本発明の実施形態２に係る画像形成システムの概略機能構成を示すブロック図である。
【図７】本発明の実施形態２に係るインデックス用紙の連続印刷を行う印刷実行処理を示すフローチャートである。
【発明を実施するための形態】
【０００９】
以下、本発明を実施するための第１の実施形態（以下、「実施形態１」という）を、図面を参照して説明する。実施形態１の画像形成装置１は、プリンター、多機能プリンター、多機能周辺装置、又は複合機等の画像を形成する画像形成装置であり、図１を参照すると、原稿読取部２と、原稿給送部３と、本体部４と、操作部５とを備えている。原稿読取部２は、本体部４の上部に配設され、原稿給送部３は、原稿読取部２の上部に配設されている。
【００１０】
画像形成装置１の手前側には、画像形成装置１の設定や動作指示を行う操作部５が配設されている。操作部５は、液晶表示部５１、操作ボタン５２が設けられている。ユーザーは操作部５を操作して指示を入力することで、画像形成装置１の各種の設定を行い、画像形成等の各種機能を実行させる。液晶表示部５１は、画像形成装置１の状態を示したり、画像形成状況や印刷部数を表示したり、タッチパネルとして、両面印刷や白黒反転等の機能や倍率設定、濃度設定など各種設定を行えるようになっている。操作ボタン５２としては、画像形成の開始を指示するスタートボタン、画像形成の中止を指示するストップ／クリアボタン、画像形成装置１の各種設定をデフォルト状態にする際に使用するリセットボタン、テンキー等が設けられている。
【００１１】
原稿読取部２は、図２を参照すると、スキャナー２１と、プラテンガラス２２と、原稿読取スリット２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等からなる受光部２５とを備えており、原稿給送部３による原稿ＭＳ（manuscript）の搬送方向に移動可能に構成されている。原稿読取スリット２３は、原稿給送部３による原稿ＭＳの搬送方向と直交する方向に形成されたスリットである。
【００１２】
原稿給送部３は、原稿載置部３１と、原稿排出部３２と、原稿搬送機構３３とを備えている。原稿載置部３１にセットされた原稿ＭＳは、原稿搬送機構３３によって、１枚ずつ順次繰り出されて原稿読取スリット２３に対向する位置へ搬送され、その後、原稿排出部３２に排出される。また、原稿給送部３と原稿読取部２とは、画像形成装置１の奥側でヒンジ機構によって接続されており、原稿給送部３は、プラテンガラス２２上面を開閉するプラテンカバーとして機能する。原稿給送部３を上方に開くことで、プラテンガラス２２上面が開放され、プラテンガラス２２に原稿ＭＳをセットできる状態となる。
【００１３】
原稿載置部３１に原稿ＭＳがセットされていない状態や、原稿給送部３（プラテンカバー）が開いた開状態で、操作部５の操作ボタン５２によって原稿ＭＳの読み取りが指示されると、プラテンガラス２２にセットされた原稿ＭＳが読み取られる。プラテンガラス２２に載置された原稿ＭＳを読み取る場合には、スキャナー２１は、プラテンガラス２２に対向する位置に移動され、プラテンガラス２２にセットされた原稿ＭＳを主走査方向と直交する副走査方向に副走査方向基準線Ｂから走査しながら読み取って画像データを取得し、取得した画像データを本体部４内にある制御部７（図３）に出力する。
【００１４】
原稿載置部３１に原稿ＭＳがセットされた状態で、操作部５の操作ボタン５２によって原稿ＭＳの読み取りが指示されると、原稿給送部３により搬送される原稿ＭＳが読み取られる。原稿ＭＳは、表面（原稿画像を読み取る面）を上にして原稿載置部３１にセットされる。そして、原稿載置部３１にセットされた原稿ＭＳは、原稿給送部３によって左側から搬送され、原稿ＭＳの表面が原稿読取スリット２３と対向位置に導かれる。また、スキャナー２１は、原稿給送部３により搬送された原稿ＭＳを読み取る場合、原稿読取スリット２３と対向する位置に移動され、原稿読取スリット２３を介し、原稿給送部３による搬送動作と同期して原稿ＭＳを読み取って画像データを取得し、取得した画像データを本体部４内にある制御部７（図３）に出力する。
【００１５】
本体部４は、記録部６を備えると共に、給紙部４１と、給紙ローラー４２と、用紙搬送路４３と、レジストローラー４４と、排出ローラー４５とを備えている。給紙部４１は、複数枚の用紙Ｐ（実施形態１においてはインデックス用紙Ｐであるので、以降「インデックス用紙Ｐ」という）が収納される給紙カセットであり、給紙ローラー４２は、給紙部４１からインデックス用紙Ｐを１枚ずつ用紙搬送路４３に繰り出す。給紙ローラー４２によって用紙搬送路４３に繰り出されたインデックス用紙Ｐは、レジストローラー４４によって記録部６に搬送される。レジストローラー４４は、給紙カセットから供給されるインデックス用紙Ｐの先端と原稿から読み取った画像の先端を合わせるようにインデックス用紙Ｐを搬送する。そして、記録部６によって記録が施されたインデックス用紙Ｐは、排出ローラー４５によって、原稿読取部２と本体部４との間に形成された排出空間４６に排出される。このように、給紙ローラー４２、レジストローラー４４及び排出ローラー４５は、インデックス用紙Ｐの搬送部として機能する。
【００１６】
記録部６は、感光体ドラム６１と、帯電部６２と、露光部６３と、画像形成部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、画像データに基づくレーザー光を出力して露光し、感光体ドラム６１の表面に静電潜像を形成する。画像形成部６４は、トナーを用いて感光体ドラム６１に形成された静電潜像を現像する現像ユニットであり、静電潜像に基づいたトナー像を感光体ドラム６１上に形成させる。転写部６５は、画像形成部６４によって感光体ドラム６１上に形成されたトナー像をインデックス用紙Ｐに転写させる。定着部６６は、転写部６５によってトナー像が転写されたインデックス用紙Ｐを加熱してトナー像をインデックス用紙Ｐに定着させる。そして感光体ドラム６１上に残存するトナーは、クリーニング部６７によって除去される。
【００１７】
図３には、画像形成装置１の概略機能構成を示すブロック図が示されている。上述の原稿読取部２、原稿給送部３、搬送部（給紙ローラー４２、レジストローラー４４、排出ローラー４５）、操作部５、記録部６、記憶部８及び通信部９は、制御部７に接続され、制御部７によって動作制御される。制御部７は、印刷実行処理部７１と紙詰まり検出処理部７２を備えている。
【００１８】
制御部７は、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部７は、ＲＯＭに記憶されている制御プログラムを読み出し、制御プログラムをＲＡＭに展開させることで、操作部５から入力された所定の指示情報に応じて装置全体の制御を行う。印刷実行処理部７１は、制御部７からの指令により印刷動作を実行する。紙詰まり検出処理部７２は、画像形成装置１のプリントエンジンが搬送部（給紙ローラー４２、レジストローラー４４、排出ローラー４５）に紙詰まりが発生したことを検出すると、紙詰まり発生通知を印刷実行処理部７１に出力する。
【００１９】
記憶部８は、半導体メモリーやＨＤＤ（Hard Disk Drive）等の記憶手段であり、スキャナー２１によって読み取られた原稿ＭＳの画像データが記憶されると共に、各種の管理情報や設定情報が記憶されている。
【００２０】
通信部９は、ＬＡＮ等のネットワーク１０を介して、ＰＣ（パーソナルコンピュータ）等の周辺機器１１や、他の画像形成装置１ａとの間で各種データを送受信する機能を有する。また、通信部９は、ネットワーク１０及びルーター１２を介してインターネット１３に接続可能に構成されている。そして通信部９は、インターネット１３に接続されている各種通信機器との間で各種データを送受信する機能を有する。
【００２１】
次に、本発明の実施形態１に係るインデックス用紙の連続印刷における紙詰まり処理について、図４と図５を用いて説明する。まず、ユーザーは、液晶表示部５１のタッチパネルにインデックス用紙設定画面（図示せず）を表示してインデックスラベル数、プリントサイズ、インデックスラベル間隔、及びインデックスラベルサイズなどのインデックス用紙の情報を設定する。設定されたインデックス用紙の情報は、記憶部８に保存される。また、インデックスラベルに画像を印字するときには、ユーザーは、液晶表示部５１のタッチパネルにインデックスラベル設定画面（図示せず）を表示してインデックスラベルに印刷する画像、画像が文字である場合はその書式、及びレイアウトなどのインデックスラベルの情報を設定する。設定されたインデックスラベルの情報は、記憶部８に保存される。また、ユーザーは、図４（１）に示す紙詰まり処置パターン選択画面８０を表示し、紙詰まり処置パターンＮｏ．の「１」、「２」、「３」の中から１つを選択して「ＯＫ」ボタン８０ａを設定する。選択された処置パターンＮｏ．は、記憶部８に保存される。次いで、ユーザーが原稿載置部３１に原稿ＭＳをセットし、また給紙部４１にインデックス用紙Ｐをセットして、操作ボタン５２によりインデックス用紙の印刷開始を行うと、制御部７により印刷実行処理部７１が起動され、印刷実行処理部７１が印刷実行処理を開始する。以下、図５に示すインデックス用紙の連続印刷を実行する印刷実行処理のステップ順に説明する。
【００２２】
（ステップＳ１０１）
まず、印刷実行処理部７１は、インデックス用紙設定画面及びインデックスラベル設定画面で設定され、記憶部８に保存されている設定値を取り出し、インデックス用紙設定画面及びインデックスラベル設定画面で設定された設定値により定着部６６のトナー定着サイズと給紙ローラー４２の用紙間隔などを設定する。
【００２３】
（ステップＳ１０２）
次いで、印刷実行処理部７１は、印刷中のインデックス用紙をカウントするインデックス用紙カウンター（Ｉ）に初期値の「１」をセットする。
【００２４】
（ステップＳ１０３）
次いで、印刷実行処理部７１は、原稿給送部３１により原稿ＭＳの読み取りを要求する。
【００２５】
（ステップＳ１０４）
次いで、印刷実行処理部７１は、原稿ＭＳの読み取りが正常に行われたかを判定する。原稿ＭＳの読み取りが正常に行われたとき(ステップＳ１０４のＹｅｓ)は、ステップＳ１０５に進む。原稿ＭＳの読み取りが正常に行われなかったとき(ステップＳ１０４のＮｏ)は、原稿ＭＳが原稿載置部３１にセットされていないので、印刷実行処理を終了する。
【００２６】
（ステップＳ１０５）
ステップＳ１０４のＹｅｓにおいて、印刷実行処理部７１は、給紙部４１から（Ｉ）番目のインデックス用紙Ｐを取り出し、インデックス用紙の印刷を実行する。
【００２７】
（ステップＳ１０６）
次いで、印刷実行処理部７１は、紙詰まり検出処理部７２からの紙詰まり発生通知を入力したかを判定することで、（Ｉ）番目のインデックス用紙Ｐに紙詰まりが発生しているかを判定する。（Ｉ）番目のインデックス用紙Ｐに紙詰まりが発生しているとき(ステップＳ１０６のＹｅｓ)は、ステップＳ１０７に進む。（Ｉ）番目のインデックス用紙Ｐに紙詰まりが発生していないとき(ステップＳ１０６のＮｏ)は、ステップＳ１１１に進む。
【００２８】
（ステップＳ１０７）
ステップＳ１０６のＹｅｓにおいて、印刷実行処理部７１は、記憶部８から紙詰まり処置パターンＮｏ．を取り出す。印刷実行処理部７１は、紙詰まり処置パターンＮｏ．が「１」であるときステップＳ１０８に進み、紙詰まり処置パターンＮｏ．が「２」であるときステップＳ１０９に進み、紙詰まり処置パターンＮｏ．が「３」であるときステップＳ１１０に進む。
【００２９】
（ステップＳ１０８）
紙詰まり処置パターンＮｏ．が「１」であるときに、印刷実行処理部７１は、図４（２）（ａ）の紙詰まり処置パターン１表示画面９１を液晶表示部５１に表示し、紙詰まりのインデックス用紙がユーザーにより取り除かれ、また紙詰まりのインデックス用紙に代えて補充された同じ様式（インデックスラベル位置が同じ）のインデックス用紙が給紙部４１にセットされ、処置パターン１表示画面９１の「ＯＫ」ボタン９１ａが押下されるまで待ち状態とする。「ＯＫ」ボタン９１ａが押下されると、ステップＳ１０５に戻る。ステップＳ１０５に戻ることで、紙詰まりしたインデックス用紙に代えて補充された同じ様式のインデックス用紙が給紙部４１から取り出され、先に読み取った原稿の画像が紙詰まりしたインデックス用紙に代えて補充された同じ様式のインデックス用紙に印刷される。
【００３０】
（ステップＳ１０９）
紙詰まり処置パターンＮｏ．が「２」であるときに、印刷実行処理部７１は、図４（２）（ｂ）の紙詰まり処置パターン２表示画面９２を液晶表示部５１に表示し、紙詰まりのインデックス用紙がユーザーにより取り除かれ、処置パターン２表示画面９２の「ＯＫ」ボタン９２ａが押下されるまで待ち状態とする。「ＯＫ」ボタン９２ａが押下されると、ステップＳ１１１に進む。ステップＳ１１１に進むことで、次の原稿の読み取りが行われ、また次のインデックス用紙が給紙部４１から取り出され、次に読み取った原稿の画像が次のインデックス用紙に印刷される。
【００３１】
（ステップＳ１１０）
紙詰まり処置パターンＮｏ．が「３」であるときに、印刷実行処理部７１は、図４（２）（ｃ）の紙詰まり処置パターン３表示画面９３を液晶表示部５１に表示し、処置パターン３表示画面９３の「ＯＫ」ボタン９３ａが押下されるまで待ち状態とする。「ＯＫ」ボタン９３ａが押下されると、印刷実行処理を終了する。
【００３２】
（ステップＳ１１１）
ステップＳ１０６のＮｏにおいて、印刷実行処理部７１は、インデックス用紙カウンター（Ｉ）に「１」を加算し、ステップＳ１０３に戻る。
【００３３】
以上の実施形態１によれば、インデックス用紙の連続印刷中に紙詰まりが発生したときに、ユーザーが選択した紙詰まり処置パターンにより、紙詰まりのインデックス用紙に代えて補充された同じ様式のインデックス用紙の印刷から再開、次のインデックス用紙の印刷から再開、または印刷を中止することができる。このようにユーザーにより印刷開始前に選択された紙詰まり処置に従って、紙詰まりが発生したときの処置を行うことができるので、例えば、代わりのインデックス用紙が手元にあるときには、ユーザーが紙詰まり処置パターン「１」を選択して印刷を開始すると、印刷途中で紙詰まりが発生しても後で紙詰まりとなったインデックス用紙だけを印刷する必要がない。また、代わりのインデックス用紙が手元にないときには、ユーザーが紙詰まり処置パターン「２」を選択して印刷を開始すると、印刷途中で紙詰まりが発生しても紙詰まりとなったインデックス用紙を除いた以降のインデックス用紙をユーザーの設定通りに印刷をできる。また、次に画像形成装置１を使用したい人が待っているなどの事情があるときには、ユーザーが紙詰まり処置パターン「３」を選択して「ＯＫ」ボタン９２ａを押下すると、容易にインデックス用紙の印刷を中止できる。更に、紙詰まりが発生したインデックス用紙のインデックス用紙カウンター（Ｉ）を紙詰まり処置パターン１表示画面９１、紙詰まり処置パターン２表示画面９２、または紙詰まり処置パターン３表示画面９３に表示するので、ユーザーは何番目のインデックス用紙に紙詰まりが発生したかを容易に認識することができる。
【００３４】
次に、本発明を実施するための第２の実施形態（以下、「実施形態２」という）を、図面を参照して説明する。実施形態２は、図３に示すＰＣなどのコンピューターである周辺機器１１に画像形成装置１のプリンタードライバーを搭載するものである。
【００３５】
実施形態２の画像形成システムＡの概略機能構成について、図６を用いて説明する。図６に示すように、画像形成システムＡは、画像形成装置１、画像形成装置１ａ、ネットワーク１０、周辺機器１１、ルーター１２、及びインターネット１３により構成されている。画像形成装置１、画像形成装置１ａ、周辺機器１１、及びルーター１２はネットワーク１０に接続され、ルーター１２によりインターネット１３に接続される。
画像形成装置１と画像形成装置１ａの機能構成は実施形態１に同じであるので、以降、画像形成装置１を用いて説明する。つまり、画像形成装置１を画像形成装置１ａに置き換えることで、同様の処理を行うことができる。
【００３６】
次に、図６に示す周辺機器１１の機能構成について説明する。図６に示すように周辺機器１１は、制御部１０１、補助記憶部１０２、操作表示部１０３、及びネットワーク通信部１０４を備え、これら各部はバスなどにより接続される構成となっている。
【００３７】
制御部１０１は、ＲＡＭやＲＯＭ等の主記憶手段、及びＣＰＵ(Central Processing Unit)等の制御手段を備えている。また、制御部１０１は、各種Ｉ／Ｏや、ＵＳＢ（ユニバーサル・シリアル・バス）等のインターフェイス、バスコントローラー等を含む総合的な周辺機器１１のコントロールを行う。制御部１０１には、プリンタードライバー１０１ａが搭載されている。
【００３８】
プリンタードライバー１０１ａは、実施形態１におけるインデックス用紙設定画面、インデックスラベル設定画面、及び紙詰まり処置パターン選択画面８０を操作表示部１０３に表示する。また、プリンタードライバー１０１ａは、スキャナーなどで読み込んだ原稿の画像データや、インデックス用紙設定画面、インデックスラベル設定画面、及び紙詰まり処置パターン選択画面８０から設定した画面設定データを格納したインデックス用紙印刷要求データを、ネットワーク通信部１０４を経由して画像形成装置１に送信する。また、プリンタードライバーは、画像形成装置１からネットワーク通信部１０４を経由して表示要求データを受信すると、実施形態１における紙詰まり処置パターン１表示画面９１、紙詰まり処置パターン２表示画面９２、または紙詰まり処置パターン３表示画面９３を操作表示部１０３に表示する。また、プリンタードライバー１０１ａは、紙詰まり処置パターン１表示画面９１、紙詰まり処置パターン２表示画面９２、または紙詰まり処置パターン３表示画面９３から入力された「ＯＫ」の応答データを、ネットワーク通信部１０４を経由して画像形成装置１に送信する。
【００３９】
補助記憶部１０２は、フラッシュメモリー等からなる補助記憶装置で、制御部１０１が実行する処理のプログラムやデータを記憶する。補助記憶部１０２には、画像データ保存エリア１０２ａと画面設定データ保存エリア１０２ｂが設けられている。
画像データ保存エリア１０２ａは、スキャナーなどで読み込んだ原稿の画像データなどを保存する。
画面設定データ保存エリア１０２ｂは、インデックス用紙設定画面、インデックスラベル設定画面、及び紙詰まり処置パターン選択画面８０から設定した画面設定データなどを保存する。
【００４０】
操作表示部１０３は、操作パネルを備え、操作パネルからユーザーの操作を入力し、ユーザーの操作結果を表示する。また、インデックス用紙設定画面、インデックスラベル設定画面、及び紙詰まり処置パターン選択画面８０を表示し、ユーザーの設定を入力する。また、紙詰まり処置パターン１表示画面９１、紙詰まり処置パターン２表示画面９２、及び紙詰まり処置パターン３表示画面９３を表示し、ユーザーが押下する「ＯＫ」を入力する。
【００４１】
ネットワーク通信部１０４は、ネットワーク１０に接続するための着脱可能なＬＡＮインターフェイスを備えている。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００４２】
次に、本発明の実施形態２に係るインデックス用紙の連続印刷における紙詰まり処理について説明する。まず、ユーザーは、周辺機器１１の操作表示部１０３にインデックス用紙設定画面を表示してインデックスラベル数、プリントサイズ、インデックスラベル間隔、及びインデックスラベルサイズなどのインデックス用紙の情報を設定する。設定されたインデックス用紙の情報は、補助記憶部１０２の画面設定データ保存エリア１０２ｂに保存される。また、インデックスラベルに画像を印字するときには、ユーザーは、操作表示部１０３にインデックスラベル設定画面を表示してインデックスラベルに印刷する画像、画像が文字である場合はその書式、及びレイアウトなどのインデックスラベルの情報を設定する。設定されたインデックスラベルの情報は、補助記憶部１０２の画面設定データ保存エリア１０２ｂに保存される。また、ユーザーは、図４（１）に示す紙詰まり処置パターン選択画面８０を操作表示部１０３に表示し、紙詰まり処置パターンＮｏ．の「１」、「２」、「３」の中から１つを選択して「ＯＫ」ボタン８０ａを設定する。選択された処置パターンＮｏ．は、補助記憶部１０２の画面設定データ保存エリア１０２ｂに保存される。
【００４３】
次いで、ユーザーが操作表示部１０３からインデックス用紙の印刷開始を行うと、制御部１０１によりプリンタードライバー１０１ａが起動される。なお、インデックス用紙Ｐは、画像形成装置１の給紙部４１に予めセットされているものとする。
【００４４】
次いで、プリンタードライバー１０１ａが起動されると、プリンタードライバー１０１ａは、補助記憶部１０２の画像データ保存エリア１０２ａから画像データを取り出す。また、プリンタードライバー１０１ａは、画面設定データ保存エリア１０２ｂからインデックス用紙設定画面、インデックスラベル設定画面、及び紙詰まり処置パターン選択画面８０の画面設定データを取り出す。プリンタードライバー１０１ａは、画像データと画面設定データをインデックス用紙印刷要求データに格納し、インデックス用紙印刷要求データをネットワーク通信部１０４を経由して画像形成装置１に送信する。
【００４５】
次いで、画像形成装置１は、インデックス用紙印刷要求データを受信すると画像形成装置１の制御部７を起動する。制御部７が起動されると、制御部７により印刷実行処理部７１が起動され、印刷実行処理部７１が印刷実行処理を開始する。以下、図７に示すインデックス用紙の連続印刷を実行する印刷実行処理のステップ順に説明する。
【００４６】
（ステップＳ２０１）
まず、印刷実行処理部７１は、インデックス用紙設定画面及びインデックスラベル設定画面で設定され、インデックス用紙印刷要求データに格納されている設定値を取り出し、インデックス用紙設定画面及びインデックスラベル設定画面で設定された設定値により定着部６６のトナー定着サイズと給紙ローラー４２の用紙間隔などを設定する。
【００４７】
（ステップＳ２０２）
次いで、印刷実行処理部７１は、印刷中のインデックス用紙をカウントするインデックス用紙カウンター（Ｉ）に初期値の「１」をセットする。
【００４８】
（ステップＳ２０３）
次いで、印刷実行処理部７１は、インデックス用紙印刷要求データから画像データを取り出す。なお、画像データはページ毎に順に取り出される。
【００４９】
（ステップＳ２０４）
次いで、印刷実行処理部７１は、給紙部４１から（Ｉ）番目のインデックス用紙Ｐを取り出し、インデックス用紙の印刷を実行する。
【００５０】
（ステップＳ２０５）
次いで、印刷実行処理部７１は、紙詰まり検出処理部７２からの紙詰まり発生通知を入力したかを判定することで、（Ｉ）番目のインデックス用紙Ｐに紙詰まりが発生しているかを判定する。（Ｉ）番目のインデックス用紙Ｐに紙詰まりが発生しているとき(ステップＳ２０５のＹｅｓ)は、ステップＳ２０６に進む。（Ｉ）番目のインデックス用紙Ｐに紙詰まりが発生していないとき(ステップＳ２０５のＮｏ)は、ステップＳ２１０に進む。
【００５１】
（ステップＳ２０６）
ステップＳ２０５のＹｅｓにおいて、印刷実行処理部７１は、紙詰まり処置パターン選択画面８０で設定され、インデックス用紙印刷要求データに格納されている紙詰まり処置パターンＮｏ．を取り出す。印刷実行処理部７１は、紙詰まり処置パターンＮｏ．が「１」であるときステップＳ２０７に進み、紙詰まり処置パターンＮｏ．が「２」であるときステップＳ２０８に進み、紙詰まり処置パターンＮｏ．が「３」であるときステップＳ２０９に進む。
【００５２】
（ステップＳ２０７）
紙詰まり処置パターンＮｏ．が「１」であるときに、印刷実行処理部７１は、図４（２）（ａ）の紙詰まり処置パターン１表示画面９１の表示要求データを周辺機器１１に送信する。周辺機器１１が表示要求データを受信すると、プリンタードライバー１０１ａが紙詰まり処置パターン１表示画面９１を操作表示部１０３に表示する。プリンタードライバー１０１ａは、紙詰まりのインデックス用紙がユーザーにより取り除かれ、また紙詰まりのインデックス用紙に代えて補充された同じ様式（インデックスラベル位置が同じ）のインデックス用紙が給紙部４１にセットされ、処置パターン１表示画面９１の「ＯＫ」ボタン９１ａが押下されるまで待ち状態とする。「ＯＫ」ボタン９１ａが押下されると、プリンタードライバー１０１ａは、「ＯＫ」の応答データを画像形成装置１に送信し、印刷実行処理部７１が「ＯＫ」の応答データを受信すると、印刷実行処理部７１はステップＳ２０４に戻る。ステップＳ２０４に戻ることで、紙詰まりしたインデックス用紙に代えて補充された同じ様式のインデックス用紙が給紙部４１から取り出され、先に取り出した原稿の画像データが紙詰まりしたインデックス用紙に代えて補充された同じ様式のインデックス用紙に印刷される。
【００５３】
（ステップＳ２０８）
紙詰まり処置パターンＮｏ．が「２」であるときに、印刷実行処理部７１は、図４（２）（ｂ）の紙詰まり処置パターン２表示画面９２の表示要求データを周辺機器１１に送信する。周辺機器１１は、表示要求データを受信すると、プリンタードライバー１０１ａが紙詰まり処置パターン２表示画面９２を操作表示部１０３に表示する。プリンタードライバー１０１ａは、紙詰まりのインデックス用紙がユーザーにより取り除かれ、処置パターン２表示画面９２の「ＯＫ」ボタン９２ａが押下されるまで待ち状態とする。「ＯＫ」ボタン９２ａが押下されると、プリンタードライバー１０１ａは、「ＯＫ」の応答データを画像形成装置１に送信し、印刷実行処理部７１が「ＯＫ」の応答データを受信すると、印刷実行処理部７１はステップＳ２１０に進む。ステップＳ２１０に進むことで、次の原稿の画像データが取り出され、また次のインデックス用紙が給紙部４１から取り出され、次に取り出された原稿の画像データが次のインデックス用紙に印刷される。
【００５４】
（ステップＳ２０９）
紙詰まり処置パターンＮｏ．が「３」であるときに、印刷実行処理部７１は、図４（２）（ｃ）の紙詰まり処置パターン３表示画面９３の表示要求データを周辺機器１１に送信する。周辺機器１１は、表示要求データを受信すると、プリンタードライバー１０１ａが紙詰まり処置パターン３表示画面９３を操作表示部１０３に表示する。プリンタードライバー１０１ａは、処置パターン３表示画面９３の「ＯＫ」ボタン９３ａが押下されるまで待ち状態とする。「ＯＫ」ボタン９３ａが押下されると、プリンタードライバー１０１ａは、「ＯＫ」の応答データを画像形成装置１に送信し、印刷実行処理部７１が「ＯＫ」の応答データを受信すると、印刷実行処理を終了する。
【００５５】
（ステップＳ２１０）
ステップＳ２０５のＮｏにおいて、印刷実行処理部７１は、インデックス用紙カウンター（Ｉ）に「１」を加算し、ステップＳ２０３に戻る。
【００５６】
なお、実施形態２においては、インデックス用紙の印刷要求をネットワーク１０に接続されている周辺機器１１からネットワーク１０に接続されている画像形成装置１に送信する場合について説明したが、これに限定されない。例えば、ネットワーク１０に接続されている周辺機器１１からインターネット１３に接続されている画像形成装置１にインデックス用紙の印刷要求を送信することができる。また、インターネット１３に接続されている周辺機器１１からネットワーク１０に接続されている画像形成装置１にインデックス用紙の印刷要求を送信することができる。また、インターネット１３に接続されている周辺機器１１からインターネット１３に接続されている画像形成装置１にインデックス用紙の印刷要求を送信することができる。
【００５７】
以上の実施形態２によれば、ユーザーは周辺機器１１からインデックス用紙の印刷要求を行うことができる。また、インデックス用紙の印刷中に画像形成装置１に紙詰まりが発生したときには周辺機器１１の操作表示部１０３に紙詰まり処置パターン１表示画面９１、紙詰まり処置パターン２表示画面９２、または紙詰まり処置パターン３表示画面９３を表示することで、ユーザーは紙詰まりの処置を周辺機器１１から行うことができる。
【００５８】
なお、紙詰まり処置パターンＮｏ．の「３」では、図４（２）（ｃ）に示すように紙詰まり処置パターン３表示画面９３に「ＯＫ」ボタン９３ａを設け、ユーザーにより「ＯＫ」ボタン９３ａが設定されると、印刷実行処理を終了するようにしたが、「ＯＫ」ボタン９３ａを設けずに、紙詰まり処置パターン３表示画面９３を表示後に印刷実行処理を終了することも可能である。
【００５９】
また、インデックス用紙の連続印刷における紙詰まりの発生について説明したが、インデックス用紙に限定されない。例えば、異なる色、異なる模様、異なる形状などの様式を有する印刷用紙の連続印刷中の紙詰まりについても適用可能である。
【００６０】
また、図２に示すように給紙部４１には１つの給紙カセットが設置されているように図示しているが、これは例示であり、給紙部４１には用紙サイズの異なる複数の給紙カセットを設置することができる。
【００６１】
このような本発明の画像形成装置は、インデックス用紙の連続印刷において紙詰まりが発生したときに、給紙のずれによる無駄な印刷を防止し、またユーザーが紙詰まりの処置を選択できるようにすることで使い勝手のよい画像形成装置を提供することができる。
【００６２】
以上、具体的な実施の形態により本発明を説明したが、上記実施の形態は本発明の例示であり、この実施の形態に限定されないことは言うまでもない。
【産業上の利用可能性】
【００６３】
本発明は、画像形成装置に好適であるが、画像形成装置に限られるものではなく、インデックス用紙を排出または搬送する機器及び処理を備える装置一般に適用できる。
【符号の説明】
【００６４】
Ａ・・・・・画像形成システム
１・・・・・画像形成装置
１ａ・・・・画像形成装置
２・・・・・原稿読取部
３・・・・・原稿給送部
４・・・・・本体部
５・・・・・操作部
６・・・・・記録部
７・・・・・制御部
８・・・・・記憶部
９・・・・・通信部
１０・・・・・ネットワーク
１１・・・・・周辺機器
１２・・・・・ルーター
１３・・・・・インターネット
２１・・・・・スキャナー
２２・・・・・プラテンガラス
２３・・・・・原稿読取スリット
２４・・・・・光源
２５・・・・・受光部
３１・・・・・原稿載置部
３２・・・・・原稿排出部
３３・・・・・原稿搬送機構
４１・・・・・給紙部
４２・・・・・給紙ローラー
４３・・・・・用紙搬送路
４４・・・・・レジストローラー
４５・・・・・排出ローラー
４６・・・・・排出空間
５１・・・・・液晶表示部
５２・・・・・操作ボタン
６１・・・・・感光体ドラム
６２・・・・・帯電部
６３・・・・・露光部
６４・・・・・画像形成部
６５・・・・・転写部
６６・・・・・定着部
６７・・・・・クリーニング部
７１・・・・・印刷実行処理部
７２・・・・・紙詰まり検出処理部
８０・・・・・紙詰まり処置パターン選択画面
８０ａ・・・・「ＯＫ」ボタン
９１・・・・・紙詰まり処置パターン１表示画面
９１ａ・・・・「ＯＫ」ボタン
９２・・・・・紙詰まり処置パターン２表示画面
９２ａ・・・・「ＯＫ」ボタン
９３・・・・・紙詰まり処置パターン３表示画面
９３ａ・・・・「ＯＫ」ボタン
１０１・・・・・制御部
１０１ａ・・・・プリンタードライバー
１０２・・・・・補助記憶部
１０２ａ・・・・画像データ保存エリア
１０２ｂ・・・・画面設定データ保存エリア
１０３・・・・・操作表示部
１０４・・・・・ネットワーク通信部
【図１】
2015091641.tif 000003
【図２】
2015091641.tif 000004
【図３】
2015091641.tif 000005
【図４】
2015091641.tif 000006
【図５】
2015091641.tif 000007
【図６】
2015091641.tif 000008
【図７】
2015091641.tif 000009